(57)【要約】【課題】印刷対象とする情報をサーバに蓄積したり、印刷装置に入力する作業を不要とし、簡単な操作で印刷を行うことができるようにする。【解決手段】携帯電話２のデータ記憶部２０１に記憶されているデータが通信部２０４からデータ加工装置３に送られ、データ加工装置３では、通信部３０５によって受信されたデータが、印刷レイアウト情報記憶部３０１に記憶されている印刷レイアウト情報に基づいて加工部３０２で加工され、この加工部３０２によって生成された印刷データがプリンタ４に送信され、この印刷データがプリンタ４で印刷される。【選択図】        図２
2004341846.tif 000002
【特許請求の範囲】
【請求項１】
移動端末機器と、この移動端末機器から印刷対象となるデータを得て印刷データを生成して画像形成装置に送信するデータ加工装置と、このデータ加工装置から受け取った印刷データを印刷する画像形成装置とからなる印刷システムであって、
前記移動端末機器は、各種のデータが記憶されたデータ記憶手段と、このデータ記憶手段から読み出したデータを前記データ加工装置に送信するデータ送信手段とを備え、
前記データ加工装置は、前記移動端末機器からデータを受信するデータ受信手段と、このデータ受信手段によって受信されたデータの印刷時における印刷レイアウト情報を記憶する印刷レイアウト情報記憶手段と、データ受信手段によって受信されたデータを印刷レイアウト情報記憶手段に記憶されている印刷レイアウト情報に基づいて加工する加工手段と、この加工手段によって加工された印刷データを前記画像形成装置に送信する印刷データ送信手段とを備え、
前記画像形成装置は、前記データ加工装置から印刷データを受信する印刷データ受信手段と、この印刷データ受信手段によって受信された印刷データを印刷する印刷手段とを備えたことを特徴とする印刷システム。
【請求項２】
前記データ加工装置及び画像形成装置が一体的に構成されていることを特徴とする請求項１に記載の印刷システム。
【請求項３】
前記印刷レイアウト情報記憶手段は、前記データ加工装置に代えて、前記移動端末機器に備えられていることを特徴とする請求項１又は請求項２に記載の印刷システム。
【請求項４】
前記データ加工装置は、前記印刷レイアウト情報記憶手段に代えて、インターネット上のサーバにアクセスして印刷レイアウト情報を取得する印刷レイアウト情報取得手段を備えていることを特徴とする請求項１又は請求項２に記載の印刷システム。
【請求項５】
移動端末機器と、この移動端末機器から印刷データを受け取って印刷する画像形成装置とからなる印刷システムであって、
前記移動端末機器は、各種のデータが記憶されたデータ記憶手段と、このデータ記憶手段に記憶されているデータの印刷時における印刷レイアウト情報を記憶する印刷レイアウト情報記憶手段と、印刷レイアウト情報記憶手段に記憶されている印刷レイアウト情報に基づいて、データ記憶手段に記憶されているデータを加工する加工手段と、この加工手段によって加工された印刷データを前記画像形成装置に送信する印刷データ送信手段とを備え、
前記画像形成装置は、前記移動端末機器から印刷データを受信する印刷データ受信手段と、この印刷データ受信手段によって受信された印刷データを印刷する印刷手段とを備えたことを特徴とする印刷システム。
【請求項６】
移動端末機器から印刷対象となるデータを得て画像形成装置に送信するデータ加工装置であって、
前記移動端末機器からデータを受信するデータ受信手段と、
前記データ受信手段によって受信されたデータの印刷時における印刷レイアウト情報を記憶する印刷レイアウト情報記憶手段と、
前記データ受信手段によって受信されたデータを、印刷レイアウト情報記憶手段に記憶されている印刷レイアウト情報に基づいて加工する加工手段と、
前記加工手段によって加工された印刷データを前記画像形成装置に送信する印刷データ送信手段と
を備えたことを特徴とするデータ加工装置。
【請求項７】
前記印刷レイアウト情報記憶手段に代えて、インターネット上のサーバにアクセスして印刷レイアウト情報を取得する印刷レイアウト情報取得手段を備えていることを特徴とする請求項６に記載のデータ加工装置。
【発明の詳細な説明】
【０００１】
【発明の属する技術分野】
本発明は、移動端末機器に蓄積されているデータを利用して、このデータを加工した印刷データを画像形成装置で印刷する技術に関する。
【０００２】
【従来の技術】
従来から、特許文献１に示すように、インターネット上のサーバにアクセスして印刷データの所在情報を取得する移動体端末と、この移動体端末から得た所在情報に基づいて印刷データの保存場所であるインターネット上のサーバを特定し、このサーバから印刷データを受信する印刷サービス端末と、この印刷サービス端末から受け取った印刷データを印刷する印刷装置とからなる印刷システムが知られている。この印刷システムによれば、外出先等で緊急に必要となった文書の印刷を現地で行うことができる。
【０００３】
【特許文献１】
特開２００２−３６６３２９号公報
【０００４】
【発明が解決しようとする課題】
しかしながら、上記のような従来の印刷システムによれば、前もってインターネット上のサーバに保存されている印刷データだけしか印刷できない。また、路上に設置されている簡易印刷装置等によって、名刺やポストカード等を印刷する場合は、住所や名前等の情報を当該簡易印刷装置等に入力する必要があり、この入力作業に長時間を要するため、使い勝手が悪いものとなっていた。
【０００５】
本発明は、上述した問題点を解決するためになされたものであり、印刷対象とする情報をサーバに蓄積したり、印刷装置に入力する作業を不要とし、簡単な操作で印刷を行うことができる印刷システム及びデータ加工装置を提供することを目的とする。
【０００６】
【課題を解決するための手段】
上記目的を達成するために請求項１に記載の発明は、移動端末機器と、この移動端末機器から印刷対象となるデータを得て印刷データを生成して画像形成装置に送信するデータ加工装置と、このデータ加工装置から受け取った印刷データを印刷する画像形成装置とからなる印刷システムであって、
前記移動端末機器は、各種のデータが記憶されたデータ記憶手段と、このデータ記憶手段から読み出したデータを前記データ加工装置に送信するデータ送信手段とを備え、
前記データ加工装置は、前記移動端末機器からデータを受信するデータ受信手段と、このデータ受信手段によって受信されたデータの印刷時における印刷レイアウト情報を記憶する印刷レイアウト情報記憶手段と、データ受信手段によって受信されたデータを印刷レイアウト情報記憶手段に記憶されている印刷レイアウト情報に基づいて加工する加工手段と、この加工手段によって加工された印刷データを前記画像形成装置に送信する印刷データ送信手段とを備え、
前記画像形成装置は、前記データ加工装置から印刷データを受信する印刷データ受信手段と、この印刷データ受信手段によって受信された印刷データを印刷する印刷手段とを備えたものである。
【０００７】
また、請求項２に記載の発明は、前記データ加工装置及び画像形成装置が一体的に構成されていることを特徴とする請求項１に記載の印刷システム。
【０００８】
これらの発明によれば、移動端末機器のデータ記憶手段に記憶されているデータがデータ送信手段によってデータ加工装置に送られ、データ加工装置では、データ受信手段によって受信されたデータが、印刷レイアウト情報記憶手段に記憶されている印刷レイアウト情報に基づいて加工手段によって加工され、この加工手段によって加工されて生成された印刷データが画像形成装置に送信され、この印刷データが画像形成装置で印刷される。
【０００９】
そのため、移動端末機器に記憶されているデータを利用して印刷が行われるので、当該印刷時に印刷対象となる情報を、データ加工装置及び画像形成装置に入力する作業が不要であり、インターネット上のサーバに蓄積しておく必要もない。これにより、印刷レイアウト情報記憶手段に種々の印刷レイアウト情報（字体、記録紙の大きさ、記録紙上における印刷文字や画像の配置情報等）を記憶させておけば、移動端末機器に蓄積されていることが多い住所、名前、画像等の情報を有効活用して、名刺やポストカード等を簡単な操作で印刷できる。
【００１０】
また、請求項３に記載の発明は、請求項１又は請求項２に記載の印刷システムであって、前記印刷レイアウト情報記憶手段は、前記データ加工装置に代えて、前記移動端末機器に備えられているものである。
【００１１】
この構成では、印刷レイアウト情報記憶手段が、データ加工装置ではなく、移動端末機器側に備えられているので、データ加工装置に蓄積しておく必要があるデータ量を低減して、データ加工装置の構成を簡易化することができる。
【００１２】
また、請求項４に記載の発明は、請求項１又は請求項２に記載の印刷システムであって、前記データ加工装置は、前記印刷レイアウト情報記憶手段に代えて、インターネット上のサーバにアクセスして印刷レイアウト情報を取得する印刷レイアウト情報取得手段を備えているものである。
【００１３】
この構成によれば、データ加工装置が印刷レイアウト情報記憶手段を備えず、印刷レイアウト情報取得手段によってインターネット上のサーバから印刷レイアウト情報を取得して、この印刷レイアウト情報に基づいて、移動端末機器から取得した情報を加工して印刷データを生成する。これにより、データ加工装置に蓄積しておく必要があるデータ量を低減することができ、データ加工装置の構成を簡易化することができる。また、データ加工装置はサーバから最新の印刷レイアウト情報の提供を受けて、印刷データを生成することが可能になる。
【００１４】
また、請求項５に記載の発明は、移動端末機器と、この移動端末機器から印刷データを受け取って印刷する画像形成装置とからなる印刷システムであって、
前記移動端末機器は、各種のデータが記憶されたデータ記憶手段と、このデータ記憶手段に記憶されているデータの印刷時における印刷レイアウト情報を記憶する印刷レイアウト情報記憶手段と、印刷レイアウト情報記憶手段に記憶されている印刷レイアウト情報に基づいて、データ記憶手段に記憶されているデータを加工する加工手段と、この加工手段によって加工された印刷データを前記画像形成装置に送信する印刷データ送信手段とを備え、
前記画像形成装置は、前記移動端末機器から印刷データを受信する印刷データ受信手段と、この印刷データ受信手段によって受信された印刷データを印刷する印刷手段とを備えたものである。
【００１５】
この構成によれば、印刷レイアウト情報記憶手段、加工手段及び印刷データ送信手段が移動端末機器に備えられているので、データ加工装置を備える必要がなく、簡単な構成で当該印刷システムを実現することができる。
【００１６】
また、請求項６に記載の発明は、移動端末機器から印刷対象となるデータを得て画像形成装置に送信するデータ加工装置であって、
前記移動端末機器からデータを受信するデータ受信手段と、
前記データ受信手段によって受信されたデータの印刷時における印刷レイアウト情報を記憶する印刷レイアウト情報記憶手段と、
前記データ受信手段によって受信されたデータを、印刷レイアウト情報記憶手段に記憶されている印刷レイアウト情報に基づいて加工する加工手段と、
前記加工手段によって加工された印刷データを前記画像形成装置に送信する印刷データ送信手段と
を備えたものである。
【００１７】
この構成によれば、データ受信手段によって移動端末機器から受信されたデータが、印刷レイアウト情報記憶手段に記憶されている印刷レイアウト情報に基づいて加工手段によって加工され、この加工手段によって加工されて生成された印刷データが画像形成装置に送信される。そのため、移動端末機器に記憶されているデータを利用して画像形成装置に印刷データとして送信することができるので、印刷時に印刷対象となる情報をデータ加工装置に入力する作業は不要となる。これにより、印刷レイアウト情報記憶手段に種々の印刷レイアウト情報（字体、記録紙の大きさ、記録紙上における印刷文字や画像の配置等）を記憶させておけば、移動端末機器に蓄積されていることが多い住所、名前、画像等の情報を有効活用して、名刺やポストカード等を簡単な操作で印刷できる。
【００１８】
また、請求項７に記載の発明は、請求項６に記載のデータ加工装置であって、前記印刷レイアウト情報記憶手段に代えて、インターネット上のサーバにアクセスして印刷レイアウト情報を取得する印刷レイアウト情報取得手段を備えているものである。
【００１９】
この構成によれば、印刷レイアウト情報取得手段によってインターネット上のサーバから印刷レイアウト情報を取得して、この印刷レイアウト情報に基づいて、移動端末機器から取得した情報を加工して印刷データを生成するので、データ加工装置に蓄積しておく必要があるデータ量を低減することができ、データ加工装置の構成を簡易化することができる。また、サーバから最新の印刷レイアウト情報の提供を受けて、印刷データを生成することが可能になる。
【００２０】
【発明の実施の形態】
以下、本発明の第１実施形態に係る印刷システム及びデータ加工装置について図面を参照して説明する。図１は第１実施形態に係る印刷システムの概念図である。第１実施形態に係る印刷システム１は、携帯電話（移動端末機器の一例）２と、携帯電話２から印刷対象となるデータを受信し、このデータを加工して印刷データを生成するデータ加工装置３と、データ加工装置３から受信した印刷データを印刷するプリンタ（画像形成装置の一例）４とからなる。印刷システム１は、携帯電話２の記憶部（例えば、名前・電話番号・住所等が記憶されている所謂「電話帳」等）に蓄積されているデータをデータ加工装置３に送信し、データ加工装置３でデータを加工して印刷データを生成し、この印刷データをプリンタ４に送信して所定のレイアウトで名刺やポストカード等を印刷するものである。
【００２１】
なお、携帯電話２からデータ加工装置３へのデータ送信は、Ｂｌｕｅｔｏｏｔｈ（登録商標）、赤外線Ｉ／Ｆ、ＵＳＢケーブル等によって行われる。また、データ加工装置３とプリンタ４は図１に示すように一体的に構成されたものに限られず、各々別個とされてデータ送受信が可能に構成されていてもよい。
【００２２】
図２は印刷システム１を構成する携帯電話２、データ加工装置３及びプリンタ４の内部構成の概略を示すブロック図である。携帯電話２は、名前・電話番号・住所等が記憶されているデータ記憶部（上述した「電話帳」や、カメラ付き携帯電話の場合は撮影画像のデータが保存された画像データ記憶部等）２０１、テンキーや通話ボタン等からなる操作部２０２、ＬＣＤ（ｌｉｑｕｉｄ  ｃｒｙｓｔａｌ  ｄｉｓｐｌａｙ）ディスプレイ等からなる表示部２０３、外部と音声や電子データを通信するための通信部２０４、及び装置各部を動作制御する制御部２０５を備える。なお、表示部２０３には、制御部２０５による制御で、データ加工装置３に送信する各種データの表示が可能とされている。
【００２３】
データ加工装置３は、印刷レイアウト情報記憶部３０１、加工部３０２、操作部３０３、表示部３０４、通信部３０５及び制御部３０６を備えている。
【００２４】
印刷レイアウト情報記憶部３０１は、携帯電話２から受信したデータを加工してプリンタ４に送信する印刷データの生成時に使用する印刷レイアウト情報（印刷時における記録紙上での印刷文字・画像等の割り付けや配置であり、印刷文字のフォントの種類、サイズ、装飾、色等の書体の情報を含むものとしてもよい）を記憶するものである。この印刷レイアウト情報記憶部３０１に記憶される印刷レイアウト情報は単数でも複数でもよい。
【００２５】
加工部３０２は、携帯電話２から受信した各種データを、印刷レイアウト情報記憶部３０１に記憶されている印刷レイアウト情報に基づいて加工し、プリンタ４に送信する印刷データを生成するものである。
【００２６】
操作部３０３は、外部操作により操作者から印刷実行指示や、印刷レイアウト情報記憶部３０１内の印刷レイアウト情報の中から所望の印刷レイアウト情報を選択する等の操作者からの各種操作指示の入力を受け付けるものであり、各キー群や表示部３０４に備えられたタッチパネル等からなる。表示部３０４は、ＬＣＤ（ｌｉｑｕｉｄ  ｃｒｙｓｔａｌ  ｄｉｓｐｌａｙ）ディスプレイ等からなり、ユーザによって操作部３０３から入力された各種操作指示や、加工部３０２によって生成された印刷データ（印刷前のプレビュー）等が表示される。
【００２７】
通信部３０５は、携帯電話２からは印刷対象となるデータ等の各種データを受信し、プリンタ４に対しては加工部３０２で生成した印刷データ等を送信するものである。制御部３０６は、上記装置各部を含むデータ加工装置３全体の動作制御を司るものである。
【００２８】
プリンタ４は、データ加工装置３から受信する印刷データを印刷するために備えられている。プリンタ４には、データ加工装置３との間で印刷データを含む各種データの送受信を行うデータ送受信部４０２と、受信した印刷データに基づいて画像形成を行って印刷するプリント出力部４０３と、印刷サービスの料金として投入される紙幣や硬貨を徴収する料金徴収部４０４と、料金徴収部４０４に料金が投入されたか否かを検知する料金検知部４０５と、データ送受信部４０２によるデータ加工装置３とのデータ送受信制御や、料金徴収部４０４の動作制御等、装置全体の動作を制御する制御部４０６とを備えている。なお、データ加工装置３とプリンタ４とが一体的に構成されない場合は、印刷時に必要な操作指示が操作者から入力される操作部を備えるようにしてもよい。
【００２９】
印刷システム１の各部による処理を説明する。図３は印刷システム１の各部による処理を示すフローチャート、図４は生成された印刷データが表示部３０４に表示された状態を示す図である。ユーザが携帯電話２の操作部２０２を操作して、データ記憶部２０１に記憶されている名前・住所・電話番号・画像等のデータがデータ加工装置３に送信される（Ｋ１）。なお、この携帯電話２からデータ加工装置３に送信されるデータ形式は、文字に関してはＣＳＶ形式やテキスト形式等、画像データはＪＰＥＧ形式等、様々なソフト上で使用可能な形式とされることが好ましい。
【００３０】
データ加工装置３によって携帯電話２から上記データが受信され（Ｄ１）、ユーザによる操作部３０３の操作により、名刺作成又はポストカード作成の選択、印刷枚数、所望の印刷レイアウト等の印刷条件が受け付けられると（Ｄ２）、このユーザによって指示された印刷条件に対応する印刷レイアウト情報が印刷レイアウト情報記憶部３０１から読み出される（Ｄ３）。この読み出された印刷レイアウト情報に基づいて、携帯電話２から受信したデータが加工されて印刷データが生成される（Ｄ４）。生成された印刷データは図４に示すように表示部３０４に表示される（Ｄ５）。この表示後に、操作者によって表示部３０４に表示された「印刷する」ボタン３０４１が押下されることによって、表示中の印刷データの印刷指示が操作部３０３で受け付けられると（Ｄ６でＹＥＳ）、この印刷データが印刷枚数等の情報と共に、通信部３０５からプリンタ４に送信される（Ｄ７）。操作者によって「レイアウト変更」ボタン３０４２が押下された場合は、Ｄ２の処理に戻る。
【００３１】
プリンタ４においてデータ加工装置３から印刷データ等が受信されると（Ｐ１）、印刷枚数等の情報に基づいてプリント料金が算出されて表示され（Ｐ２）、料金徴収部４０４によってユーザからプリント料金が徴収された後（Ｐ３）、印刷データが印刷される（Ｐ４）。なお、料金検知部４０５によって少なくともプリント料金以上の金額の投入が確認されていれば、プリント料金の徴収は印刷後に徴収してもよい。
【００３２】
次に、本発明に係る印刷システムの第２実施形態を説明する。図５は第２実施形態に係る印刷システムの携帯電話２’、データ加工装置３’及びプリンタ４の内部構成の概略を示すブロック図、図６は印刷システム１’の各部による処理を示すフローチャートである。なお、上記第１実施形態と同様の構成及び処理については説明を省略する。
【００３３】
第２実施形態に係る印刷システム１’は、データ加工装置３’に、印刷レイアウト情報記憶部３０１が設けられておらず、その代わりに携帯電話２’に印刷レイアウト情報記憶部２０６が設けられた構成となっている。この印刷システム１’による処理は、図６に示すように、ユーザが操作部２０２を操作して選択した印刷条件に対応する印刷レイアウト情報が、制御部２０５によって印刷レイアウト情報記憶部２０６から読み出されると（Ｋ２１，Ｋ２２）、携帯電話２’からデータ加工装置３’へのデータ記憶部２０１内のデータ送信時に、印刷レイアウト情報がデータ記憶部２０１内のデータと共にデータ加工装置３’に送信される（Ｋ２３，Ｋ２４）。
【００３４】
データ加工装置３’では、携帯電話２’から印刷レイアウト情報及びデータ記憶部２０１内のデータが受信され、操作部３０３から印刷枚数等の印刷条件が入力されると（Ｄ２２）、印刷レイアウト情報に基づいて印刷データが生成される（Ｄ２３）。この印刷データが表示部３０４に表示された後（Ｄ２４）、操作者から印刷指示が入力されると（Ｄ２５でＹＥＳ）、印刷データが印刷枚数等の情報と共に、通信部３０５からプリンタ４に送信される（Ｄ２６）。プリンタ４では、受信した当該印刷データの印刷が行われる（Ｐ２１乃至Ｐ２４）。
【００３５】
次に、本発明に係る印刷システムの第３実施形態を説明する。図７は第３実施形態に係る印刷システム１’’の携帯電話２’’及びプリンタ４’’の内部構成の概略を示すブロック図、図８は印刷システム１’’の各部による処理を示すフローチャートである。なお、上記第１実施形態と同様の構成及び処理については説明を省略する。
【００３６】
第３実施形態に係る印刷システム１‘’は、データ加工装置３（又は３０）が備えられておらず、携帯電話２’’に印刷レイアウト情報記憶部２０６及び加工部２０７が設けられた構成となっている。なお、プリンタ４は、ユーザからの各所印刷指示の入力が可能となるように操作パネル４０１を備えている。
【００３７】
この印刷システム１’’による処理は、図８に示すように、ユーザが操作部２０２を操作して選択した印刷条件に対応する印刷レイアウト情報が印刷レイアウト情報記憶部２０６から制御部２０５によって読み出されると（Ｋ３１，Ｋ３２）、データ記憶部２０１から名前・住所・電話番号等のデータが読み出され（Ｋ３３）、この印刷レイアウト情報に基づいて、データ記憶部２０１内のデータが加工部２０７によって加工されて印刷データが生成される（Ｋ３４）。この印刷データは制御部２０５によって表示部２０３に表示される（Ｋ３５）。
【００３８】
この表示後、ユーザから印刷指示が受け付けられると（Ｋ３６でＹＥＳ）、印刷データがプリンタ４に送信される（Ｋ３７）。プリンタ４では、受信した印刷データの印刷が行われる（Ｐ３１乃至Ｐ３４）。なお、印刷データが表示部２０３に表示された後、操作者からレイアウト変更指示があった場合は、Ｋ３１の処理に戻る。
【００３９】
次に、本発明に係る印刷システムの第４実施形態を説明する。図９は第４実施形態に係る印刷システムの全体構成図、図１０は第４実施形態に係る印刷システム１０の携帯電話２、データ加工装置３０及びプリンタ４の内部構成の概略を示すブロック図である。なお、上述した各実施形態と同様の構成については説明を省略する。
【００４０】
第４実施形態に係る印刷システム１０は、データ加工装置３０に、印刷レイアウト情報記憶部３０１が設けられておらず、通信部３０５がインターネット上のＷＷＷサーバ５から印刷レイアウト情報を受信して、携帯電話２から受信したデータを加工して印刷データを生成する構成とされている。ＷＷＷサーバ５は、インターネットを介して、コンビニエンスストア６、プリントステーション７、ホテル８等に設置された各データ加工装置３０と接続され、各種データの送受信が可能とされる。
【００４１】
ＷＷＷサーバ５は、印刷レイアウト情報記憶部５０１、データ検索部５０２、通信部５０３及び制御部５０４を備えている。印刷レイアウト情報記憶部５０１は、データ加工装置３０が携帯電話２から受信したデータを加工するために用いる印刷レイアウト情報を複数記憶している。データ検索部５０２は、データ加工装置３０から受信した印刷レイアウト情報送信要求に対応する印刷レイアウト情報を印刷レイアウト情報記憶部５０１から読み出すものである。
【００４２】
通信部５０３は、インターネットを介して、データ加工装置３０と各種データ通信を行うものである。制御部５０４は、ＷＷＷサーバ５各部の動作制御を司るものであり、データ加工装置３０からの印刷レイアウト情報送信要求に応じて、データ検索部５０２に印刷レイアウト情報記憶部５０１に記憶されている印刷レイアウト情報の検索を指示したり、通信部５０３に対して印刷レイアウト情報の送信を指示したりするものである。
【００４３】
印刷システム１０の各部による処理を説明する。図１１は印刷システム１０の各部による処理を示すフローチャートである。なお、上述した各実施形態と同様の処理については説明を省略する。携帯電話２からの名前・住所・電話番号・画像等のデータがデータ加工装置３０に受信され（Ｄ１１）、操作者によってデータ加工装置３０に印刷枚数等の印刷条件が入力されると（Ｄ１２）、データ加工装置３０の制御部３０６によって、ユーザから入力された印刷条件に対応する印刷レイアウト情報の送信要求が通信部３０５からＷＷＷサーバ５に送信される（Ｄ１３）。
【００４４】
ＷＷＷサーバ５において印刷レイアウト情報送信要求が受信されると（Ｓ１１）、受信した印刷レイアウト情報送信要求に対応する印刷レイアウト情報が印刷レイアウト情報記憶部５０１から読み出され（Ｓ１２）、読み出された印刷レイアウト情報が通信部５０３からデータ加工装置３０に送信される（Ｓ１３）。
【００４５】
データ加工装置３０は、ＷＷＷサーバ５から印刷レイアウト情報を受信すると（Ｄ１４）、この印刷レイアウト情報に基づいて、携帯電話２から受信したデータが加工されて印刷データが生成される（Ｄ１５）。この印刷データは表示部３０４に表示され（Ｄ１６）、この表示後に、ユーザから印刷指示が受け付けられると（Ｄ１７でＹＥＳ）、印刷データがプリンタ４に送信される（Ｄ１８）。プリンタ４では、受信した印刷データの印刷が行われる（Ｐ１１乃至Ｐ１４）。
【００４６】
このように、本実施形態の印刷システム１，１’，１’’，１０によれば、携帯電話２の「電話帳」等の記憶部に記憶されていることが名前・住所・電話番号等のデータを利用して、これを加工して生成した印刷データをプリンタ４に送信するので、印刷システム１，１’，１’’，１０による名刺やポストカード等の印刷時にユーザが名前・住所・電話番号等を入力する作業が不要である。そのため、印刷システム１，１’，１’’，１０の利用者は、簡単及び短時間の操作で名刺やポストカード等を印刷することができる。
【００４７】
なお、本発明は上記各実施の形態の構成に限られず種々の変形が可能である。例えば、上記各実施の形態では、プリンタ４に料金徴収部４０４及び料金検知部４０５が備えられているが、これらはデータ加工装置３に備えられていてもよい。
【００４８】
また、上記各実施形態に示したプリンタ４は、少なくともプリンタ機能を有していれば足り、プリンタ，コピー機，ファクス等の複数機能を備えたいわゆる複合機であってもよいことは勿論である。
【００４９】
【発明の効果】
以上のように請求項１及び請求項２に記載の発明によれば、移動端末機器のデータ記憶手段に記憶されているデータがデータ送信手段によってデータ加工装置に送られ、データ加工装置では、データ受信手段によって受信されたデータが、印刷レイアウト情報記憶手段に記憶されている印刷レイアウト情報に基づいて加工手段によって加工され、この加工手段によって加工されて生成された印刷データが画像形成装置に送信され、この印刷データが画像形成装置で印刷される。
【００５０】
そのため、移動端末機器に記憶されているデータを利用して印刷が行われるので、当該印刷時に印刷対象となる情報を、データ加工装置及び画像形成装置に入力する作業が不要であり、インターネット上のサーバに蓄積しておく必要もない。これにより、印刷レイアウト情報記憶手段に種々の印刷レイアウト情報（字体、記録紙の大きさ、記録紙上における印刷文字や画像の配置情報等）を記憶させておけば、移動端末機器に蓄積されていることが多い住所、名前、画像等の情報を有効活用して、名刺やポストカード等を簡単な操作で印刷できる。
【００５１】
また、請求項３に記載の発明によれば、印刷レイアウト情報記憶手段が、データ加工装置ではなく、移動端末機器側に備えられているので、データ加工装置に蓄積しておく必要があるデータ量を低減して、データ加工装置の構成を簡易化することができる。
【００５２】
また、請求項４に記載の発明によれば、データ加工装置が印刷レイアウト情報記憶手段を備えず、印刷レイアウト情報取得手段によってインターネット上のサーバから印刷レイアウト情報を取得して、この印刷レイアウト情報に基づいて、移動端末機器から取得した情報を加工して印刷データを生成する。これにより、データ加工装置に蓄積しておく必要があるデータ量を低減することができ、データ加工装置の構成を簡易化することができる。また、データ加工装置はサーバから最新の印刷レイアウト情報の提供を受けて、印刷データを生成することが可能になる。
【００５３】
また、請求項５に記載の発明によれば、印刷レイアウト情報記憶手段、加工手段及び印刷データ送信手段が移動端末機器に備えられているので、データ加工装置を備える必要がなく、簡単な構成で当該印刷システムを実現することができる。
【００５４】
また、請求項６に記載の発明によれば、データ受信手段によって移動端末機器から受信されたデータが、印刷レイアウト情報記憶手段に記憶されている印刷レイアウト情報に基づいて加工手段によって加工され、この加工手段によって加工されて生成された印刷データが画像形成装置に送信される。そのため、移動端末機器に記憶されているデータを利用して画像形成装置に印刷データとして送信することができるので、印刷時に印刷対象となる情報をデータ加工装置に入力する作業は不要となる。これにより、印刷レイアウト情報記憶手段に種々の印刷レイアウト情報（字体、記録紙の大きさ、記録紙上における印刷文字や画像の配置等）を記憶させておけば、移動端末機器に蓄積されていることが多い住所、名前、画像等の情報を有効活用して、名刺やポストカード等を簡単な操作で印刷できる。
【００５５】
また、請求項７に記載の発明によれば、印刷レイアウト情報取得手段によってインターネット上のサーバから印刷レイアウト情報を取得して、この印刷レイアウト情報に基づいて、移動端末機器から取得した情報を加工して印刷データを生成するので、データ加工装置に蓄積しておく必要があるデータ量を低減することができ、データ加工装置の構成を簡易化することができる。また、サーバから最新の印刷レイアウト情報の提供を受けて、印刷データを生成することが可能になる。
【図面の簡単な説明】
【図１】第１実施形態に係る印刷システムの概念図である。
【図２】第１実施形態に係る印刷システムを構成する携帯電話、データ加工装置及びプリンタの内部構成の概略を示すブロック図である。
【図３】第１実施形態に係る印刷システムの各部による処理を示すフローチャートである。
【図４】生成された印刷データが表示部に表示された状態を示す図である。
【図５】第２実施形態に係る印刷システムの携帯電話、データ加工装置及びプリンタの内部構成の概略を示すブロック図である。
【図６】第２実施形態に係る印刷システムの各部による処理を示すフローチャートである。
【図７】第３実施形態に係る印刷システムの携帯電話及びプリンタの内部構成の概略を示すブロック図である。
【図８】第３実施形態に係る印刷システムの各部による処理を示すフローチャートである。
【図９】第４実施形態に係る印刷システムの全体構成図である。
【図１０】第４実施形態に係る印刷システムの携帯電話、データ加工装置及びプリンタの内部構成の概略を示すブロック図である。
【図１１】第４実施形態に係る印刷システムの各部による処理を示すフローチャートである。
【符号の説明】
１，１’，１’’，１０  印刷システム
２      携帯電話（移動端末機器）
２０１  データ記憶部（データ記憶手段）
２０２  操作部
２０３  表示部
２０４  通信部（データ送信手段）
２０５  制御部
２０６  印刷レイアウト情報記憶部（印刷レイアウト情報記憶手段）
２０７  加工部（加工手段）
３，３０  データ加工装置
３０１  印刷レイアウト情報記憶部（印刷レイアウト情報記憶手段）
３０２  加工部（加工手段）
３０３  操作部
３０４  表示部
３０５  通信部（データ受信手段、印刷データ送信手段、印刷レイアウ  ト情報取得手段）
３０６  制御部
４      プリンタ（画像形成装置）
４０１  操作パネル
４０２  データ送受信部（印刷データ受信手段）
４０３  プリント出力部（印刷手段）
４０６  制御部
５      サーバ
５０１  印刷レイアウト情報記憶部
５０２  データ検索部
５０３  通信部
５０４  制御部
【図１】
2004341846.tif 000003
【図２】
2004341846.tif 000004
【図３】
2004341846.tif 000005
【図４】
2004341846.tif 000006
【図５】
2004341846.tif 000007
【図６】
2004341846.tif 000008
【図７】
2004341846.tif 000009
【図８】
2004341846.tif 000010
【図９】
2004341846.tif 000011
【図１０】
2004341846.tif 000012
【図１１】
2004341846.tif 000013